(57)【要約】【課題】放射性物質が拡散された場合に、人体を放射線による内部被曝から防護しつつ、衣服や身体に付着する放射性物質を少なくして外部被曝も抑制できる簡易型放射線防護シェルターを提供する。【解決手段】簡易型放射線防護シェルターは、不織布で形成され、避難者２を収容する収容空間３を形成する蚊帳状の本体１と、不織布に金属ナノ粒子を担持させて形成され、放射性物質を吸着して捕捉する吸着層４とを具備する。放射性物質が拡散された場合に、避難者を蚊帳状の本体の収容空間内に収容すれば、吸着層が放射性物質を吸着して捕捉するので、収容空間内への放射性物質の侵入を低減して、避難者を放射線による内部被曝から防護できる。また、避難者の衣服や身体に付着する放射性物質を少なくして外部被曝も抑制できる。【選択図】図１
0003216650.tif 000002
【実用新案登録請求の範囲】
【請求項１】
不織布で形成され、避難者を収容する収容空間を形成する蚊帳状の本体と、
前記不織布に金属ナノ粒子を担持させて形成され、放射性物質を吸着して捕捉する吸着層と
を具備することを特徴とする簡易型放射線防護シェルター。
【請求項２】
前記金属ナノ粒子は、２０ｎｍより小さい白金ナノ粒子であり、
前記吸着層は、前記白金ナノ粒子をストロンチウム、セシウム及びヨウ素の少なくともいずれか１つと反応させて樹状結晶化させるものである、ことを特徴とする請求項１に記載の簡易型放射線防護シェルター。
【請求項３】
前記蚊帳状の本体を外部から吊り下げて前記収容空間を形成するための吊具を更に具備する、ことを特徴とする請求項１又は２に記載の簡易型放射線防護シェルター。
【請求項４】
前記蚊帳状の本体の裾部を固定する固定具を更に具備する、ことを特徴とする請求項１乃至３いずれか１つの項に記載の簡易型放射線防護シェルター。
【請求項５】
前記蚊帳状の本体を外部から吊り下げて自立させる外部フレーム、又は前記蚊帳状の本体を内部から保持して自立させる内部フレームを更に具備する、ことを特徴とする請求項１又は２又は４に記載の簡易型放射線防護シェルター。
【考案の詳細な説明】
【技術分野】
【０００１】
本考案は、放射性物質による被曝から一時的に人体を防護するための、臨時待避用の簡易型放射線防護シェルターに関するものである。
【背景技術】
【０００２】
特許文献１には、表地層と裏地層との間に放射線遮蔽シートを挟んで縫い合わせ、ガンマ線のコンプトン散乱線を遮蔽する放射線防護被服が記載されている。
【０００３】
この放射線防護被服に用いられる放射線遮蔽シートは、基材と、基材の表面を覆うように設けられ、かつ金属粉が配合されたコーティング膜とを備えると共に、凹凸を持つ立体的な断面形状を有する。
【０００４】
また、特許文献２には、空気中、水中に存在するヨウ素及びセシウムを、それぞれナノ粒子との錯体などの集合体を形成することにより、低密度のヨウ素、セシウムを捕捉・濃縮する技術が開示されている。
【０００５】
この特許文献２では、ヨウ素及びセシウムをマスクなどのフィルター上に捕捉して濃縮することで、その集合体の直接発色あるいはヨウ化カリ液を発色処理液とした発色により、これらの元素を定量的に検出できるようにしている。
【先行技術文献】
【特許文献】
【０００６】
【特許文献１】実用新案登録第３２０６５５８号公報
【特許文献２】特開２０１３−１４００８１号公報
【考案の概要】
【考案が解決しようとする課題】
【０００７】
しかしながら、特許文献１のように、放射線遮蔽シートを被服に適用した場合は、小さな埃や粉塵などに付着した放射性物質を鼻や口から吸い込む可能性があり、内部被曝を防ぐことはできない。
【０００８】
一方、特許文献２のように、マスクでヨウ素やセシウムを捕捉すれば内部被曝を抑制できるが、この特許文献２では外部被曝については何等配慮していない。
【０００９】
このため、例えば、原子力発電所の事故などが発生し、放射性物質が広範囲に拡散された場合には、衣服や身体が放射能で汚染される可能性があり、体外から放射線を受けて外部被曝する恐れがある。
【００１０】
本考案は、上記のような事情に鑑みてなされたもので、その目的とするところは、放射性物質が拡散された場合に、人体を放射線による内部被曝から防護しつつ、衣服や身体に付着する放射性物質を少なくして外部被曝も抑制できる、簡易型放射線防護シェルターを提供することにある。
【課題を解決するための手段】
【００１１】
本考案の簡易型放射線防護シェルターは、不織布で形成され、避難者を収容する収容空間を形成する蚊帳状の本体と、前記不織布に金属ナノ粒子を担持させて形成され、放射性物質を吸着して捕捉する吸着層とを備えることで、上述した課題を解決した。
【００１２】
また、前記金属ナノ粒子は、２０ｎｍより小さい白金ナノ粒子であり、前記吸着層は、前記白金ナノ粒子をストロンチウム、セシウム及びヨウ素の少なくともいずれか１つと反応させて樹状結晶化させることで、上述した課題を解決した。
【００１３】
加えて、前記蚊帳状の本体を外部から吊り下げて収容空間を形成するための吊具を更に具備することで、上述した課題を解決した。
【００１４】
また、前記蚊帳状の本体の裾部を固定する固定具を更に具備することで、上述した課題を解決した。
【００１５】
更に、前記蚊帳状の本体を外部から吊り下げて自立させる外部フレーム、又は前記蚊帳状の本体を内部から保持して自立させる内部フレームを更に具備することで、上述した課題を解決した。
【考案の効果】
【００１６】
上記のような構成によれば、放射性物質が拡散された場合に、避難者を蚊帳状の本体の収容空間に収容し、吸着層が放射性物質を吸着して捕捉するので、収容空間内への放射性物質の侵入を低減して、放射線による内部被曝から防護できる。
【００１７】
また、避難者の衣服や身体に放射性物質が付着する放射性物質が少なくなるので除染をする際にも作業しやすくなり、衣服や身体に直接付着する放射性物質が少ないことから、外部被曝の量も抑制できる。
【００１８】
更に、２０ｎｍより小さい白金ナノ粒子は、不織布などの担体に容易に担持させることができる。
【００１９】
しかも、固定化された白金ナノ粒子は、セシウムやヨウ素と反応して樹状結晶を形成するので、不織布に捕捉して固定化でき、放射性物質が収容空間内に侵入するのを低減できる。
【００２０】
加えて、吊具を備えることで、樹木などの自然物や柱などの建築物を利用して放射線防護シェルターを容易に設置できる。
【００２１】
また、固定具を備えることで、蚊帳状の本体の裾部を地面に固定して風の影響を受け難くし、放射線防護シェルターを安定化するとともに、放射性物質の侵入をより低減できる。
【００２２】
更に、外部フレーム又は内部フレームを備えることで、蚊帳状の本体を自立させることができ、周囲に樹木や柱などがない場所や建物の内部などで吊具が使えない場所にも設置できる。しかも、コンクリートの路面や床で固定具が使えない場所でも安定化できる。
【図面の簡単な説明】
【００２３】
【図１】本考案の第１の実施の形態に係る簡易型放射線防護シェルターの斜視図である。
【図２】図１に示した簡易型放射線防護シェルターにおける吸着層の形成方法について説明するための斜視図である。
【図３】本考案の第２の実施の形態に係る簡易型放射線防護シェルターの斜視図である。
【考案を実施するための形態】
【００２４】
以下に、本考案を実施するための形態を、図面を参照して説明する。
【００２５】
図１は、本考案の第１の実施の形態に係る簡易型放射線防護シェルターを示している。
【００２６】
蚊帳状の本体１は、上面と４つの側面がそれぞれ四角形の不織布で形成され、下面を除く各辺が熱溶着などにより接着されて、避難者２を収容する収容空間３を形成している。この不織布には、放射性物質を吸着して捕捉する吸着層４が形成されている。吸着層４は、金属ナノ粒子を担持させて形成される。
【００２７】
蚊帳状の本体１の上部の四隅には、この本体１を外部から吊り下げて、収容空間３を形成するための吊具５−１〜５−４が設けられている。
【００２８】
本例では、吊具５−１〜５−４として張り綱を用いており、樹木などの自然物や柱などの建築物を利用して設置するようになっている。また、４つの側面のうち少なくとも１つの側面１ａは、避難者２の出入り口として利用できるように、巻き上げ可能になっている。
【００２９】
吸着層４は、白金系セシウム吸着素材、例えば白金ナノ粒子を不織布に担持させたものであり、放射性物質を吸着して結晶化させ、不織布の表面に留める。
【００３０】
この白金ナノ粒子の粒径は２０ｎｍ以下である。粒径が２０ｎｍ以下の金属ナノ粒子は、不織布などの担体に容易に担持される。更に、放射性物質を吸着して高濃度になると発色し、放射能汚染の状況を色の濃さで判断できるようになっている。
【００３１】
白金ナノ粒子（例えば粒径４ｎｍ）が酸性条件中で可溶性セシウム及びヨウ素と反応すると、Ｃｓ２ＰｔＩ６の暗紫色樹状結晶（約２×５μｍ）が形成される。
【００３２】
これによって、白金ナノ粒子で放射性物質を吸着して結晶化させ、不織布の表面に留めることができる。この結晶は、光に当たると黒みがかった紫色に変わり、放射性物質を吸着した（汚染された）ことが分かる。
【００３３】
図２は、図１に示した簡易型放射線防護シェルターにおける吸着層４の形成方法を示している。
【００３４】
蚊帳状の本体１を張設し、噴霧器６を用いて白金ナノコロイド液１０を界面活性剤などの存在下で表面に噴霧する。そして、乾燥させると、不織布に白金ナノ粒子を担持させた白金ナノ粒子担持不織布を形成できる。この不織布は、ストロンチウム、セシウム及びヨウ素などの放射性物質を吸着して捕捉する機能を有する。
【００３５】
なお、不織布の表面に白金ナノコロイド液を噴霧して白金ナノ粒子を担持させたが、白金ナノコロイド液を塗布してもよい。また、蚊帳状の本体１を張設した状態で白金ナノコロイド液を噴霧あるいは塗布するのではなく、シート状の白金ナノ粒子担持不織布を形成してから、熱溶着あるいは縫製により蚊帳状に形成してもよい。
【００３６】
更に、避難者２の出入り口を設けたが、不織布は柔軟であるので、蚊帳状の本体１の裾の部分を持ち上げて出入りするようにすれば、出入り口は設けなくても構わない。
【００３７】
加えて、吊具５−１〜５−４を張り綱で形成する例を示したが、収容空間３を形成できれば鈎型の金具や釘など種々の吊具を用いることができる。
【００３８】
このような構成によれば、放射性物質が拡散された場合に、避難者２を蚊帳状の本体１の収容空間３内に収容すれば、吸着層４が放射性物質を吸着して捕捉するので、収容空間３内への放射性物質の侵入を低減して、避難者２を放射線による内部被曝から防護できる。
【００３９】
また、避難者２を蚊帳状の本体１の収容空間３内に収容するので、避難者２の衣服や身体に放射性物質が付着するのを少なくでき、避難者２の除染をする際にも作業しやすくなり、衣服や身体に直接付着する放射性物質が少ないことから、外部被曝の量も抑制できる。
【００４０】
しかも、本考案の簡易型放射線防護シェルターは、軽量でコンパクトに収納できるので、原子力発電所の周辺地域で備蓄品として好適であり、事故の発生などの緊急時に避難が完了するまでの臨時退避用に使用することで、放射性物質が拡散された場合の被曝量を少なくできる。
【００４１】
図３は、本考案の第２の実施の形態に係る簡易型放射線防護シェルターを示している。
【００４２】
本第２の実施の形態における蚊帳状の本体１は、対向する一対の三角形の側面１ａ，１ｂと、対向する一対の四角形の側面１ｃ，１ｄとを有する、いわゆる三角テントの形状である。この本体１も、第１の実施の形態と同様に、避難者２を収容する収容空間３を形成する。また、本体１の不織布には、放射性物質を吸着して捕捉する吸着層４が形成され、この吸着層４は金属ナノ粒子を担持させて形成される。
【００４３】
この三角テント状の本体１は、吊具５−１，５−２によって樹木８−１，８−２間に張設される。この本体１の下部四隅は、固定具７−１〜７−４、いわゆるペグが地面に打ち込まれて固定される。これによって、蚊帳状の本体１の裾部を地面に固定して風の影響を受け難くして安定化している。
【００４４】
このような構成であっても、基本的には第１の実施の形態と実質的に同様な作用効果が得られる。
【００４５】
なお、本考案は、上述した第１及び第２の実施の形態に限定されるものではなく、要旨を逸脱しない範囲で種々の変形が可能である。
【００４６】
例えば、蚊帳状の本体を外部から吊り下げる外部フレーム、又は内部から保持する内部フレームを備えていても良い。外部フレームまたは内部フレームを備えることで、蚊帳状の本体１を自立させることができ、周囲に樹木や柱などがない場所や建物の内部などで吊具が使えない場所にも設置できる。
【００４７】
また、コンクリートの路面や床で固定具が使えない場所でも風などの影響を受け難くして安定化できる。特に、建物の中や地下室内に設置することで、より放射性物質による汚染を低減できる。
【００４８】
更に、本体には様々な形状のものを適用でき、ドーム型やティピー型などでも良い。更に、ポールと張り綱を用いるものなどにも適用できる。
【００４９】
加えて、上述した例では蚊帳状の本体の底面が解放された構造について説明したが、底面を有する構造であっても良い。
【産業上の利用可能性】
【００５０】
本考案の放射線防護シェルターは、簡易型であって、放射性物質が拡散されるような事故の発生から避難が完了するまでの期間に受ける被曝を低減するための臨時避難用として有用なものである。
【００５１】
原子力発電関連設備、原発周辺地域、軍事基地及び周辺などの備蓄品として適用でき、緊急時に使用することで、避難者をストロンチウム、セシウム及びヨウ素などによる内部被曝から防護しつつ、衣服や身体に付着する放射性物質が少なくなることで除染がしやすくなり、外部被曝の量も抑制できる。
【符号の説明】
【００５２】
１    蚊帳状の本体
１ａ，１ｂ，１ｃ，１ｄ    側面
２    避難者
３    収容空間
４    吸着層
５−１〜５−４    吊具
６    噴霧器
７−１〜７−４    固定具
８−１，８−２    樹木
１０    白金ナノコロイド液
【図１】
0003216650.tif 000003
【図２】
0003216650.tif 000004
【図３】
0003216650.tif 000005